(57)【要約】【課題】格子台板プレキャスト階層構造を新規に提案する。【解決手段】梁あばら筋籠は第一大梁の間に跨設し、複数の梁あばら筋が互いに隙間を空けて配列するものからなり、各格子台板部材は梁あばら筋籠の設置方向に並列に配置した第一大梁の間に跨設し、各格子台板部材は複数の格子孔を有すると共に、梁あばら筋籠とこれと隣接する格子台板部材と相互に接合して複数の格子孔を有する柵状階層構造を形成する。【選択図】図５
2009191450.tif 000002
【特許請求の範囲】
【請求項１】
並列に配置した複数の第一大梁と、
前記第一大梁の間に跨設し複数の梁あばら筋が互いに隙間を空けて配列した梁あばら筋籠と、
複数の格子台板部材であって、各格子台板部材は前記梁あばら筋籠の設置方向に前記並列に配置した第一大梁の間に跨設し、各前記格子台板部材は複数の格子孔を有すると共に、前記梁あばら筋籠とこれと隣接する格子台板部材と相互に接合して複数の格子孔を有する柵状階層構造を形成することを特徴とする、格子台板プレキャスト階層構造。
【請求項２】
各格子台板部材はさらに、第一側壁と
前記第一側壁と平行する第二側壁と、
前記第一側壁と前記第二側壁の間に接続して設置すると共に、前記格子孔により相互に漸次配列し、各格子梁の基部と前記第一側壁と前記第二側壁の接続箇所にそれぞれフック部を設置する複数の並列する格子梁であって、前記フック部は前記梁あばら筋籠の前記隙間に納置され、各前記格子台板部材が前記梁あばら筋籠、及びこれと隣接する格子台板部材が相互に接合して、前記柵状階層構造を形成するものを含むことを特徴とする、請求項１に記載の格子台板プレキャスト階層構造。
【請求項３】
前記第一大梁はさらに底部が両側に向かって延伸してフランジを形成し、前記第一側壁と前記第二側壁にはそれぞれに掛け渡せるように支持部と前記フランジを具備することを特徴とする、請求項２に記載の格子台板プレキャスト階層構造。
【発明の詳細な説明】
【技術分野】
【０００１】
本発明は格子台板プレキャスト階層構造に関し、本格子台板プレキャスト階層構造を使用した建築物が微振動反応の発生を効果的に抑えられるものであることに関する。
【背景技術】
【０００２】
現在、製造業の工場建屋の建設、特にウェハ工場等のハイテク製造業の工場建屋は、精密な製造具は安定した設置を必要とするため、工場建屋の床板は軽微な振動に耐え得るものでなければならない。前記の耐振ニーズを達成するために、一般的に耐振特性を備えた格子台板を使用して工場建屋の床板にしたり、機械設備据付の主要構造としたりしている。
【０００３】
然しながら、一部の格子台板の構造は元の設計強度や使用方法に制限があることから、一旦元の設計強度を超えた振動を受けると、相変わらず微振動反応を効果的に抑えることができず、精密な製造機具や生産ラインの安定面から言うと、一定レベルのリスクをもたらすものである。
【発明の開示】
【発明が解決しようとする課題】
【０００４】
本発明の主たる目的は、建築構造における微振動反応の発生を効果的に抑えるための格子台板プレキャスト階層構造を提供することにある。
【０００５】
本発明の別の目的は、建築構造全体の耐振性と安定性を高めるための格子台板プレキャスト階層構造を提供することにある。
【０００６】
本発明の別の目的は、建築構造を効果的に形成するための格子台板プレキャスト階層構造を提供することにある。
【課題を解決するための手段】
【０００７】
本発明に係る格子台板プレキャスト階層構造は、並列に配置した複数の第一大梁と、前記第一大梁の間に跨設し複数の梁あばら筋が互いに隙間を空けて配列した梁あばら筋籠と、複数の格子台板部材であって、各格子台板部材は前記梁あばら筋籠の設置方向に前記並列に配置した第一大梁の間に跨設し、各前記格子台板部材は複数の格子孔を有すると共に、前記梁あばら筋籠とこれと隣接する格子台板部材と相互に接合して複数の格子孔を有する柵状階層構造を形成する。
【発明の効果】
【０００８】
建築構造における微振動反応の発生を効果的に抑えて建築構造全体の耐振性と安定性を高め、建築構造を効果的に形成することができる。
【発明を実施するための最良の形態】
【０００９】
以下、添付図面を参照して本考案の実施の形態を詳細に説明する。
【実施例】
【００１０】
図１に示すように、前記複数の第一大梁２１０は複数の主柱３００上に相互に平行に並列設置し、前記主柱３００は建築基盤のコーナー位置に設置し、その間にさらに前記主柱３００の間に碁盤の目状に分布させた支柱３１０を設置する。
【００１１】
前記第一大梁２１０は、フランジ２１１を両側へ延伸して形成した底部を含んで逆Ｔ字型断面を有する梁構造を形成し、また第一大梁２１０は、一般的な四角形又は長方形断面の梁構造であってもよく、さらに底部は梁に沿って両側へ鉄筋を接続する鉄筋接続器を設置し、又はフランジ２１１を形成するための鋼梁を設置して、また第一大梁２１０は、別に第一大梁２１２の底部両端に設置した下層鉄筋２１２を含み、下層鉄筋２１２はそれぞれ外側にその一部を延伸させて前記主柱３００に掛け渡して、第一大梁２１０を前記主柱３００の頂部に設置する。
【００１２】
図２で示すように、前記梁あばら筋籠４００は、第一大梁２１０の間に跨設して複数の梁あばら筋が互いに隙間４２０を空けて配列し、梁あばら筋籠４００の両端部は、それぞれ第一大梁２１０のフランジ２１１に掛け渡して支柱３１０の頂端に載置し、前記梁あばら筋４１０において、各梁あばら筋４１０は両側辺及び両側辺の底部をそれぞれ接続する底辺を有し、且つ各側辺の自由端は湾曲してフック４１１を形成し、梁あばら筋籠４００は、別に前記梁あばら筋４１０の前記側辺に接続して設置する、少なくとも一つの側部鉄筋４３０を含み、且つ少なくとも一つの側部鉄筋４３０は前記梁あばら筋４１０相互間の位置と隙間４２０を固定して梁あばら筋籠４００を形成する。
【００１３】
図３、図４で示すように、前記格子台板部材５００は前記梁あばら筋籠４００の設置方向に並列に配置した第一大梁２１０の間に跨設し、複数の格子孔１２０を有すると共に、梁あばら筋籠４００とこれと隣接する格子台板部材５００と相互に接合して、複数の格子孔１２０を有する柵状階層構造１１０を形成し、また前記各格子台板部材５００は第一側壁５１０、第二側壁５２０及び複数の並列した格子梁５３０を含み、前記第二側壁５２０は第一側壁５１０に平行で、並列した格子梁５３０は第一側壁５１０と第二側壁５２０との間に接続して設置すると共に、前記格子孔１２０により相互に漸次配列し、また前記格子孔１２０は長方形細長状を呈し、且つ方形、円形又はその他の微振動反応の発生を抑えるのに都合の良い形状に成形することもできる。
【００１４】
このほか、第一側壁５１０の両端はそれぞれ外側に一部を延伸させて支持部５１１を形成すると共に、支持部５１１によって第一大梁２１０のフランジ２１１に掛け渡し、また側壁５２０の両端部も支持部５２１を有して、これにより第一大梁２１０のフランジ２１１に掛け渡し、さらに第二側壁５２０の支持部５２１はＬ字型支柱５２１１を有してフランジ２１１に掛け渡して、格子台板部材の全体重量を減らして、施工全般並びに吊り下げ作業を行うのに便利なようにする。前記格子台板部材５００本体には一定の重量があるため、支持部５１１によって第一大梁２１０のフランジ２１１に掛け渡す他に、前記格子台板部材５００は、またさらに前記主柱３００の間に配列する隣接した二本の支柱３１０とも接続して、前記支柱３１０を前記格子台板部材５００下方に接続して載置し、これを補助的に支える。
【００１５】
また、各格子梁５３０の基部と第一側壁５１０及び第二側壁５２０との接続箇所はそれぞれフック５４０を設ける。前記フック５４０は梁あばら筋籠４００の前記隙間４２０に納置し、各格子台板部材５００を梁あばら筋籠４００及び隣接する格子台板部材５００と相互に接合させて柵状階層構造１１０を形成し、各フック部５４０は複数の並列するフック５４１を含み、第一側壁５１０に接続する前記フック５４１は、格子台板部材５００の第二側壁に隣接する前記フック５４１と相互に嵌合して梁接続構造６００を形成する。
【００１６】
図４、図５で示すように、前記格子台板部材５００が梁あばら筋籠４００及び並列する前記第一大梁２１０と接合して接続が完了すると、第一大梁２１０と前記主柱３００、前記格子台板部材５００及び前記梁接続構造６００の両側に型板を設置し、その後グラウティング方式で第二大梁２２０と大梁フレーム２００を形成する。
【００１７】
前記格子台板部材５００が、梁あばら筋籠４００と並列する前記第一大梁２１０と接合して接続が完了すると、第二大梁２２０を複数の主柱３００の頂部に吊り下げ又は設置することができて、並列する複数の第一大梁２１０及び並列する複数の第二大梁２２０を形成した後、第一大梁２１０と第二大梁２２０が主柱３００頂端との合流点にグラウティングして、大梁フレーム２００のコーナーを形成する。このほか、プレキャスト工法で直接大梁フレーム２００を形成して、基盤コーナーの複数の主柱３００上に吊り下げることもでき、そしてさらに梁あばら筋籠４００と前記格子台板部材５００を設置して、接合して本発明の格子台板プレキャスト階層構造１００を形成する。
【図面の簡単な説明】
【００１８】
【図１】本発明の格子台板プレキャスト階層構造の好ましい実施例
【図２】本発明の格子台板プレキャスト階層構造の好ましい実施例
【図３】本発明の格子台板プレキャスト階層構造の好ましい実施例
【図４】本発明の格子台板プレキャスト階層構造の好ましい実施例
【図５】本発明の格子台板プレキャスト階層構造の好ましい実施例
【符号の説明】
【００１９】
１００    格子台板プレキャスト階層
１１０    柵状階層構造
１２０    格子孔
２００    大梁フレーム
２１０    第一大梁
２１１    フランジ
２１２    下層鉄筋
２２０    第二大梁
３００    主柱
３１０    支柱
４００    梁あばら筋籠
４１０    梁あばら筋
４１１    フック
４２０    隙間
４３０    側部鉄筋
５００    格子台板部材
５１０    第一側壁
５１１    支持部
５２０    第二側壁
５２１    支持部
５２１１  Ｌ字型支柱
５３０    格子梁
５４０    フック部
５４１    フック
６００    梁接続構造
【図１】
2009191450.tif 000003
【図２】
2009191450.tif 000004
【図３】
2009191450.tif 000005
【図４】
2009191450.tif 000006
【図５】
2009191450.tif 000007